(57)【要約】【課題】手作業でのテーピング作業を容易にしたテーピング装置の提供。【解決手段】本発明の装置は巻きテープに適度な制動をかけ一定の張力で被テーピング部材（７）に巻き付けることと被テーピング部材（７）の中心軸方向と本装置の巻きテープ（８）の中心軸方向との適度な角度を取ることでテープの重なり深さを一定に螺旋状の巻き上げが出来る様にした。またばね部材（６）で被テーピング材を挟み込み装着することで巻き上げ作業中一回転毎両手での持ち替えが不要となり、手を外してもほどけ落ちることも無くそのままの状態を保つことで一連の作業をしやすくした。【選択図】    図1
2020189687.tif 000002
【特許請求の範囲】
【請求項１】
パイプ状部材の外周にテープを巻き付けるテーピング装置であって、次の構成を備えるパイプ状部材のテーピング装置。
・左および右のアーム部を持つ二股状の第１の支持部材
・第１の支持部材と同様の左および右アーム部を持つ二股状の第２の支持部材
・第１の支持部材と第２の支持部材とを互いに離れた形態で連結する部材であり、巻くべきテープを支える軸芯部材
・軸芯部材の外周に位置し、第１の支持部材と第２の支持部材とを、互いに離れた形態で連結するねじ部材であり、ねじにより第１の支持部材と第２の支持部材との間隔を調節することができるねじ部材
・第１および第２の支持部材における左アーム部間、右アーム部間に、それぞれ連結され、その内周に被テーピング部材が入るスペースを定める一対のばね部材
【請求項２】
第１の支持部材の左右アーム部内周に位置する第１の仮想中心と、
第２の支持部材の左右アーム部内周に位置する第２の仮想中心と、を結ぶ直線が、軸芯部材の軸心に対して傾斜している、請求項１のテーピング装置。
【請求項３】
ばね部材は、コイルばね、板ばね、線ばね、の中から選択した一つである、請求項１または請求項２のテーピング装置。
【請求項４】
軸芯部材は、第１および第２の支持部材に対し、取り外し可能に取り付けられている、請求項１から３のいずれかのテーピング装置。
【請求項５】
前記第1の支持部材の左右アーム部および前記第２の支持部材の左右アーム部は、それぞれ一体であり、左右アーム部の開き度合いが一定である、請求項１のテーピング装置。
【請求項６】
前記第1の支持部材の左右アーム部および前記第２の支持部材の左右アーム部は、それぞれ別体であり、左右アーム部の開き度合いを変えることが出来る、請求項１のテーピング装置。
【請求項７】
前記第1の支持部材の左右アーム部および前記第２の支持部材の左右アーム部の少なくとも一方において、左右アーム部の間に開閉ばねを備える、請求項６のテーピング装置。
【発明の詳細な説明】
【技術分野】
【０００１】
この発明は、断熱配管、水道管などのパイプ状部材の外周に、保護用テープを巻くためのテーピング装置であり、特にはテープを巻き付ける作業を助ける装置である。
【背景技術】
【０００２】
従来、この種のパイプ状部材、例えば断熱配管パイプ状部材を配管するにあたり自然環境より受ける破壊力に対し保護するには、ケースに入れ込む、またはテープを巻き付けるなどがある、現在では、ケースに入れ込む工法が多くなったが、場所や、その他の理由から未だテープを巻き付ける方法も多くある。直接手巻き施工するとき自然環境に対抗し巻き付け施工するには熟練した施工が必要である。
【発明の概要】
【発明が解決しようとする課題】
【０００３】
断熱配管パイプを保護するテープを巻き付けるには螺旋状にテープを重ね下から上方向に施工するのがよいとされ、テープの重ね幅はテープ幅の半分ぐらいで、張力が一定であることが、寿命にも外観からも大切である。これを手巻きにて施工するには、かなりの熟練が必要である。すなわち、手動で巻く際の巻き力（張力）と、断熱配管パイプの軸とテープ軸との傾斜度合いとを適正にすることが求められる。
【０００４】
また、テーピング作業に際してはテープを右手、左手のように持ち替えて、巻き付けを行っている。両手を用いる点で、作業は大変である。
【０００５】
したがって、この発明は、以上に述べた張力、傾斜度合いを適正化しつつ、テーピング作業をより容易に行うことが出来るテーピング装置を提供することを目的とする。
【課題を解決するための手段】
【０００６】
この発明では、第１に巻きテープの回転を制動することで一定の安定した張力でテープの巻き付けが出来る様にした。
【０００７】
第２に、被テーピング部材の中心軸方向と本装置の巻きテープ装着用の軸心部材の中心軸との角度をつけて装着させることで被テーピング部材の周囲を本装置で周回させるだけで斜め方向に巻き上げし、自然と螺旋状に巻き上げが出来る様にした。
【０００８】
第３に、被テーピング部材に本装置を取り付けるとき、押し込むだけでばね部材の元へ戻る力で挟み込む様にしていることにより、巻取り作業中手を放しても本装置が落ちないようにした。
【発明の効果】
【０００９】
本発明は、被テーピング部材の周りを巻きテープのついた装置で周回させる操作だけで一定の張力で螺旋状の巻き上げが出来る様にしたもので、ばね部材により1回転毎に両手で持ち替える必要がなく、また作業の途中で停止し他の作業を入れて手を放してもほどけ落ちることも無く一連の作業をやりやすくした。すなわち、ばね部材は、巻きテープを背負いつつ、被テーピング部材に抱きつく状態を保つことが出来る。
【図面の簡単な説明】
【００１０】
【図１】本発明の第１の実施形態を示す斜視図である。
【図２】第１の実施形態の装置を被テーピング部材（７）に取り付けた斜視図である。
【図３】第１の実施形態の装置を被テーピング部材（７）に取り付けた上面図である。
【図４】本発明の第２の実施形態を示す斜視図である。
【図５】第２の実施形態の装置を被テーピング部材（７）に取り付けた上面図である。
【発明を実施するための形態】
【００１１】
エアコンにおける被テーピング部材（７）とは断熱された銅パイプ、ドレンホース電源線などの集まりであり、外機と内機の冷媒を循環させるよう接続したものを直線状に束ねたもので概ね円筒状になっている。この円筒状のものがテーピングすべきパイプ状部材である。
【００１２】
これに保護テープを巻き付ける作業は、例えば螺旋状に、そして張力を一定に巻き付け、垂直方向に巻くときは下の方から上の方へと螺旋状に巻いてゆくことで綺麗に仕上げ、寿命を永くすることになる。
手作業で綺麗に施工するには、熟練を要する作業であるが、本発明の装置は熟練者でなくても綺麗に、そして早く施工できるように考案したものである。
【００１３】
本発明の装置は、第1、第2支持部材の間に巻きテープ（８）を差し込み軸心部材（４）にて巻きテープ（８）が回転できるように取り付ける。この場合、テーピングすべき被テーピング部材を支持するため、上下に各一対の支持部材がある。上方の第１の支持部材（１）は、左および右のアーム部により二股状である。同様に、下方の第２の支持部材（２）は、左および右のアーム部により、やはり二股状である。上下に互いに離れた第１の支持部材（１）の右アーム部と、第２の支持部材（２）の右アーム部とを、ロット状の連結部材（３）で連結する。同じく、上下に互いに離れた第１の支持部材（１）の左アーム部と、第２の支持部材（２）の左アーム部とを、ロット状の連結部材（３）で連結する。
【００１４】
上下の左右アーム部のうち、左側のアーム部の間隔を狭めるため、一方の連結部材（３）には蝶ナット（５）がある。この蝶ナット（５）により、上下の左アーム部の間隔を狭めることにより、巻きテープ（８）の回転抵抗を適宜調節することができる。すなわち、蝶ナット（５）の締め付けにより巻きテープ（８）の回転に一定の抵抗を加えテープ巻き付けの張力を調整し、テープの巻き付け強さを好ましい大きさにすることが出来る。
【００１５】
第1の支持部材の左右アーム部内周に位置する第1仮想中心と、第2の支持部材の左右アーム部内周に位置する第2仮想中心とを結ぶ直線は第1、第2支持材が同一軸上にある為、それぞれの回転角差を変えるだけでテープの中心軸と被テーピング部材（7）の中心軸との傾斜角を取ることが出来る。
適度な螺旋巻きをする傾斜角をとるために第1支持部材と第2支持部材との角度差を持たせ連結部材（３）にて固定する。
【００１６】
第１および第２の支持部材における左アーム部間、右アーム部に、それぞれ連結され、その内周に被テーピング部材（７）が入るスペースを定める一対のばね部材（6）を設ける。
本装置を被テーピング部材（７）に適度な力で押しあてると一対のばね部材（６）が開口し被テーピング部材を抱き込んで外れなくなるが、ばね力に抗して適度な力で引っ張ると、本装置は，外れる様にしている。                    
【００１７】
ここで本発明装置を被テーピング部材（７）に装着すると、テープの中心軸は適度な角度差を持ち一回転巻いたときテープは斜め方向に巻き上がってゆくことになる。これを続けてゆくと前のテープと重なり巻きになっており螺旋状に巻き上げてゆくことになる。
手巻き巻き付けの時は、一回転毎手の持ち替えが必要で常に両手が必要あること、そして現在の非粘着テープでも途中で止めて手を離すとほどけて落下してしまうが本発明装置を使用するとそれが無くなり巻き付け作業がしやすくなる。
【００１８】
テープ巻きの張力を一定した巻き付けが出来ること、一定の間隔で螺旋状に重ね巻きが出来ること、そして巻き付け作業時一回転毎に持ち替える反対の手の補助が不要になり、途中中止してもほどけ落ちることも無く一連の作業をしやすくした。
特に、ばね部材（６）として、コイルばねを用いているので、ばねの力を多方向に作用させることができるので、被テーピング部材（７）に対して、この発明の装置を確実に保持することが出来る。
【００１９】
前に述べた第１の形態では、第１および第２の支持部材（１，２）の左右のアームをそれぞれ一体の構成、つまり、左右アーム部の開き度合い固定していた。それに対し、第２の形態では、左右アーム部の開き度合いを制御するようにしている。それにより、テーピングすべき被テーピング部材の大きさに対応可能である。
【００２０】
この第2の形態では、図４および図５に示すように、上下の各支持部材の左右アーム部（１１，１２；２１，２２）を別部品とし、それら別にした左右アーム部（１１，１２；２１，２２）間に開閉ばね（９）を設けている。この開閉ばね（９）は、引っ張りコイルばねであり、そのばね力により、左右アーム部（１１，１２；２１，２２）の開閉度合いあるいは開閉角度を変えることが出来る。それにより、たとえば、３０ｍｍから５０ｍｍという、異なる径をもつ被テーピング部材をテーピング可能である。その点、第1の形態では、たとえば４０ｍｍ程度のもののみに適用可能であったのに対し、第２の形態では、広い範囲の径に対して、有効にテーピングを行うことが出来る。
【００２１】
以上に述べた各実施形態では、ばね部材（６）としてコイルばねを用いているが、これを他のばね、例えば板ばね、１あるいは複数本の線ばね、または、それらの異なるばねの組み合わせによって構成することが出来る。
【００２２】
また、重ね巻きの重なり具合を適正化するため、被テーピング部材（７）と、巻きテープとを互いに傾斜させた状態にするようにしているが、そのような傾斜をせずにテープの伸びを利用して重なり具合を作業者が調整することもできる。
【符号の説明】
【００２３】
１  第１の支持部材
２  第２の支持部材
３  連結部材
４  軸心部材
５  蝶ナット
６  ばね部材
７  被テーピング部材
８  巻きテープ
９  開閉ばね
11  第1支持部材の右アーム部
12  第1支持部材の左アーム部
21  第2支持部材の右アーム部
22  第2支持部材の左アーム部
【図１】
2020189687.tif 000003
【図２】
2020189687.tif 000004
【図３】
2020189687.tif 000005
【図４】
2020189687.tif 000006
【図５】
2020189687.tif 000007
【手続補正書】
【提出日】令和2年10月12日(2020.10.12)
【手続補正１】
【補正対象書類名】特許請求の範囲
【補正対象項目名】全文
【補正方法】変更
【補正の内容】
【特許請求の範囲】
【請求項１】
パイプ状部材の外周にテープを巻き付けるテーピング装置であって、次の構成、すなわち、
・左および右のアーム部を持つ二股状の第１の支持部材
・第１の支持部材と同様の左および右アーム部を持つ二股状の第２の支持部材
・第１の支持部材と第２の支持部材とを互いに離れた形態で連結する部材であり、巻くべきテープを支える軸芯部材
・軸芯部材の外周に位置し、第１の支持部材と第２の支持部材とを、互いに離れた形態で連結するねじ部材であり、ねじにより第１の支持部材と第２の支持部材との間隔を調節することができるねじ部材
・第１および第２の支持部材における左アーム部間、右アーム部間に、それぞれ連結され、その内周に被テーピング部材が入るスペースを定める一対のばね部材
を備え、さらに、  第１の支持部材の左右アーム部内周に位置する第１の仮想中心と、
第２の支持部材の左右アーム部内周に位置する第２の仮想中心と、を結ぶ直線が、軸芯部材の軸心に対して傾斜している、パイプ状部材のテーピング装置。
【請求項２】
ばね部材は、コイルばね、板ばね、線ばね、の中から選択した一つである、請求項１のテーピング装置。
【請求項３】
軸芯部材は、第１および第２の支持部材に対し、取り外し可能に取り付けられている、請求項１または請求項２のテーピング装置。
【請求項４】
前記第1の支持部材の左右アーム部および前記第２の支持部材の左右アーム部は、それぞれ一体であり、左右アーム部の開き度合いが一定である、請求項１のテーピング装置。
【請求項５】
前記第1の支持部材の左右アーム部および前記第２の支持部材の左右アーム部は、それぞれ別体であり、左右アーム部の開き度合いを変えることが出来る、請求項１のテーピング装置。
【請求項６】
前記第1の支持部材の左右アーム部および前記第２の支持部材の左右アーム部の少なくとも一方において、左右アーム部の間に開閉ばねを備える、請求項５のテーピング装置。